(57)【要約】      （修正有）【課題】汚物を取り除くための高分子吸収体、消臭剤、殺菌剤からなるモップ部になった汚物吸収モップ手袋と汚物を取り除くための高分子吸収体、結合剤、消臭剤、殺菌剤を噴出するスプレーを提供する。【解決手段】汚物吸収モップ手袋により、モップ中の高分子吸収体とモップ自体の毛管現象及びモップ自体の絡みとる性質を利用して吸着し、消臭、殺菌剤も行う。また、手袋型であることより汚物を掴んで裏返すことにより包まれた状態で捨てることができる。これにより、複数の手間を経ることなく、そして、手を汚すことなく汚物を処理することができる。また、汚物処理スプレーにより、スプレーから噴出される、高分子吸収体で液体を吸収し、結合剤で結合し一体として廃棄し、消臭、殺菌もできる。これにより、複数の手間を経ることなく、そして、手を汚すことなく汚物を処理することができる。【選択図】図１
2010172678.tif 000002
【特許請求の範囲】
【請求項１】
汚物を吸収、吸着、消臭、殺菌するためにモップ部が高分子吸収体、消臭剤、殺菌剤からなる手袋型により汚物を握って捨てられる、汚物吸収モップ手袋
【請求項２】
汚物を吸収、結合、消臭、殺菌するために高分子吸収体、結合剤、消臭剤、殺菌剤からなる溶媒、溶質を噴出するスプレー
【発明の詳細な説明】
【技術分野】
【０００１】  本発明は汚物を吸収、吸着し、消臭、殺菌して手を汚すことなく、きれいに簡単に処理することを目的とした汚物処理具に関する。
【背景技術】
【０００２】  従来には汚物をそのまま包んで捨てる手袋があった。また、吸収シートに汚物を排出することで吸収するものがあった。また、吸収剤及び消臭剤を振りかけてからすくい取るものがあった。また、モップのついた手袋があった。
【特許文献１】特開平９−２２５０１３号公報
【特許文献２】特開２０００−３３６５０９号公報
【特許文献３】特開２００４−１１３２８４号公報
【発明の開示】
特開２００７−１３０２９３号公報
【発明が解決しようとする課題】
【０００３】  従来では固形だけ、または、液体だけの汚物を処理するのに特化しており、処理も、固形物を包んで捨てる、吸着剤を振りかけてからすくって捨てる、液体を吸収しその後雑巾等で拭き取り、その後消毒するというものであった。また、それはきれいにするまで複数の手間が必要であった。
【課題を解決するための手段】
【０００４】  本発明の請求項１の汚物吸収モップ手袋（図１に示す）は固形だけ、または、液体だけの汚物にとどまらず、固体と液体が混ざった汚物も効率的に取り除くため、モップ中の高分子吸収体とモップ自体の毛管現象及びモップ自体の絡みとる性質を利用する。それにより、効率的に吸収、吸着できる。また、消臭剤及び殺菌剤があることで消臭剤で消臭し、殺菌剤で殺菌することができ、モップがあることにより拭き取ることができる利点もある。また、手袋型であることより汚物を掴んで裏返すことにより包まれた状態で捨てることができる。これらは、すべてが一体となっている為に複数の手間を経ることなく、そして、手を汚すことなく汚物を処理することができるのも大きな利点である。また、請求項２の汚物処理スプレー（図２に示す）は、スプレーから噴出される、高分子吸収体で液体を吸収し、結合剤で結合したもの、または、固形物同士を結合し一体として廃棄することができ、消臭剤で消臭し、殺菌剤で殺菌もできる。これにより、複数の手間を経ることなく、そして、手を汚すことなく汚物を処理することができる。
【発明の効果】
【０００５】  本発明の請求項１の汚物吸収モップ手袋は固形だけ、または、液体だけの汚物にとどまらず、固体と液体が混ざった汚物も効率的に取り除くことができ、消臭、殺菌し、モップより拭き取ることができる。そして、手袋により汚物を掴み吸着し拭き取って捨てるまでが複数の手間を経ることなく、処理することができる。また、請求項２の汚物処理スプレーは、汚物の液体を吸収し、固体を結合剤で結合することで一体として廃棄することができ、消臭、殺菌もできる。これにより、複数の手間を経ることなく、スプレーするだけで手を汚すことなく汚物を処理することができる。
【発明を実施するための最良の形態】
【０００６】  請求項１はモップに高分子吸収体、消臭剤、殺菌剤があり手袋型をしている。また、殺菌剤は別に汚物吸収モップ手袋のモップ面ではないほうに塗布して用いることもできる。
請求項２は高分子吸収体、結合剤、消臭剤、殺菌剤が噴出できるスプレーとなっている。
【図面の簡単な説明】
【０００７】
【図１】汚物吸収モップ手袋の構成図
【図２】汚物処理スプレーの構成図
【符号の説明】
【０００８】１  汚物吸収モップ手袋
２  高分子吸収体、消臭剤、殺菌剤が入ったモップ
３  汚物処理スプレー
４  結合された汚物
【図１】
2010172678.tif 000003
【図２】
2010172678.tif 000004
【手続補正書】
【提出日】平成21年7月21日(2009.7.21)
【手続補正１】
【補正対象書類名】特許請求の範囲
【補正対象項目名】請求項２
【補正方法】削除
【補正の内容】
【手続補正２】
【補正対象書類名】明細書
【補正対象項目名】０００４
【補正方法】変更
【補正の内容】
【０００４】  本発明の請求項１の汚物吸収モップ手袋（図１に示す）は固形だけ、または、液体だけの汚物にとどまらず、固体と液体が混ざった汚物も効率的に取り除くため、モップ中の高分子吸収体とモップ自体の毛管現象及びモップ自体の絡みとる性質を利用する。それにより、効率的に吸収、吸着できる。また、消臭剤及び殺菌剤があることで消臭剤で消臭し、殺菌剤で殺菌することができ、モップがあることにより拭き取ることができる利点もある。
また、手袋型であることより汚物を掴んで裏返すことにより包まれた状態で捨てることができる。これらは、すべてが一体となっている為に複数の手間を経ることなく、そして、手を汚すことなく汚物を処理することができるのも大きな利点である。
【手続補正３】
【補正対象書類名】明細書
【補正対象項目名】０００５
【補正方法】変更
【補正の内容】
【０００５】  本発明の請求項１の汚物吸収モップ手袋は固形だけ、または、液体だけの汚物にとどまらず、固体と液体が混ざった汚物も効率的に取り除くことができ、消臭、殺菌し、モップより拭き取ることができる。そして、手袋により汚物を掴み吸着し拭き取って捨てるまでが複数の手間を経ることなく、処理することができる。
【手続補正４】
【補正対象書類名】明細書
【補正対象項目名】０００６
【補正方法】変更
【補正の内容】
【０００６】  請求項１はモップに高分子吸収体、消臭剤、殺菌剤があり手袋型をしている。また、殺菌剤は別に汚物吸収モップ手袋のモップ面ではないほうに塗布して用いることもできる。
【手続補正５】
【補正対象書類名】明細書
【補正対象項目名】０００７
【補正方法】変更
【補正の内容】
【０００７】
【図１】汚物吸収モップ手袋の構成図
【手続補正６】
【補正対象書類名】明細書
【補正対象項目名】０００８
【補正方法】変更
【補正の内容】
【０００８】１  汚物吸収モップ手袋
２  高分子吸収体、消臭剤、殺菌剤が入ったモップ
【手続補正７】
【補正対象書類名】図面
【補正対象項目名】全図
【補正方法】変更
【補正の内容】
【図１】
2010172678.tif 000005
【手続補正書】
【提出日】平成21年9月28日(2009.9.28)
【手続補正２】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
汚物を吸収、吸着、消臭、殺菌するためにモップ部が高分子吸収体、消臭剤、殺菌剤からなる手袋型により汚物を握って捨てられる、汚物吸収モップ手袋